(57)【要約】【課題】機械式入力と電子式入力とを兼用することができるデュアルキーボード入力装置およびデュアルキーボード入力装置を装着した移動カートを提供する。【解決手段】移動カートは、支持部と、支持部上に装着されるデスクと、デスクに反転可能に装着されるデュアルキーボード入力装置とを備え、デュアルキーボード入力装置は、平板型のキーボード本体と、本体の一面に形成されたボタン入力部と、本体の他面に形成されたタッチ入力部とを備える。移動カートは、医療用器具やその他の電子機器を積載および移送するための用途に用いることができ、デュアルキーボード入力装置は、１つの装置にタッチ入力とボタン入力をすべて実現してユーザに便宜を提供することができる。【選択図】図１
2009259243.tif 000002
【特許請求の範囲】
【請求項１】
支持部と、
前記支持部上に提供されるデスクと、
前記デスクに反転可能に装着されるデュアルキーボード入力装置と、
を備え、
前記デュアルキーボード入力装置は、平板型のキーボード本体と、前記本体の一面に形成されたボタン入力部と、前記本体の他面に形成されたタッチ入力部とを備えることを特徴とする移動カート。
【請求項２】
前記デスクは、前記キーボード入力装置を収容するための収容部をさらに備えることを特徴とする請求項１に記載の移動カート。
【請求項３】
前記デュアルキーボード入力装置は、前記収容部でスライド移動しながら前記デスクに装着または分離し、前記デスクに対して反転可能に装着されることを特徴とする請求項２に記載の移動カート。
【請求項４】
前記デュアルキーボード入力装置は、前記収容部に回動可能に装着され、前記デスクに対して反転可能に装着されることを特徴とする請求項２に記載の移動カート。
【請求項５】
前記収容部は、前記デスクの上面に形成され、前記収容部の周辺に前記デュアルキーボード入力装置を固定するための複数の係止部が配置され、前記係止部に対応して前記デュアルキーボード入力装置には係止溝が形成されることを特徴とする請求項２に記載の移動カート。
【請求項６】
前記係止部は、前記係止溝に挿入される突起が形成された板バネを備えることを特徴とする請求項５に記載の移動カート。
【請求項７】
前記ボタン入力部は、クワーティ配列の機械式ボタンを備えることを特徴とする請求項１に記載の移動カート。
【請求項８】
前記タッチ入力部は、タッチ入力が可能な平板ディスプレイパネルを備えることを特徴とする請求項１に記載の移動カート。
【請求項９】
平板型の本体と、
前記本体の一面に形成されたボタン入力部と、
前記本体の他面に形成されたタッチ入力部と、
を備えることを特徴とするデュアルキーボード入力装置。
【請求項１０】
前記ボタン入力部は、クワーティ配列の機械式ボタンを備えることを特徴とする請求項９に記載のデュアルキーボード入力装置。
【請求項１１】
前記タッチ入力部は、タッチ入力が可能な平板ディスプレイパネルを備えることを特徴とする請求項９に記載のデュアルキーボード入力装置。
【発明の詳細な説明】
【技術分野】
【０００１】
本発明は、キーボード入力装置およびキーボード入力装置を装着した移動カートに関し、より詳細には、機械式入力と電子式入力とを兼用することができるデュアルキーボード入力装置およびデュアルキーボード入力装置を装着した移動カートに関する。
【背景技術】
【０００２】
必要な情報を入力するための多様な入力装置がある。主に一般的に用いられる入力装置としては、既存に使用した機械式キーボード入力装置があるし、決められたまたは可変するボタンが定義されたパネルを含む電子式入力装置がある。最近では、可変するボタンが定義されたパネル、例えば液晶ディスプレイパネル上にタッチ感知層を形成したＬＣＤタッチパネルを用いた装置が多く用いられている。
【０００３】
ＬＣＤタッチパネルには、液晶ディスプレイを介してボタンまたはアイコンなどを用いることができ、一般的なコンピュータで用いられるとおり、グラフィカルユーザインターフェイス（ＧＵＩ）を用いて多様なボタン定義および情報提供が可能である。
【０００４】
しかしながら、既存の機械式キーボードも、文字や数字の入力が容易であるという点において、ＬＣＤタッチパネルが提供することができない長所を有している。さらに、今まで長い間使用し続けてきたために既存のキーボードに慣れているユーザグループがあり、このようなユーザグループにはタッチ方式の入力よりも機械式キーボードを用いた方式の方がより便利である場合がある。
【０００５】
上述したように、ＬＣＤタッチパネルおよび機械式キーボードすべては固有の長短所を有しており、互いに補完することができる特性を有している。したがって、２つの入力方式間の相互関係を考慮した上で、これらの入力装置を容易に切り替えられることが必要である。
【発明の概要】
【発明が解決しようとする課題】
【０００６】
本発明は、上述した問題点を解決するために案出されたものであって、タッチ入力方式とキーボード入力方式とを容易に切り替えることができるキーボード入力装置を提供することを目的とする。
【０００７】
また、本発明は、タッチ入力部とキーボード入力部とを１つの本体に実現したキーボード入力装置を提供することを他の目的とする。
【０００８】
さらに、本発明は、タッチ入力部とキーボード入力部とを容易に切り替えることができる移動カートを提供することをさらに他の目的とする。
【課題を解決するための手段】
【０００９】
上述した目的を達成するために、本発明の例示的な一実施形態によれば、移動カートは、支持部と、支持部上に装着されるデスクと、デスクに反転可能に（ｒｅｖｅｒｓｉｂｌｙ）装着されるデュアルキーボード入力装置とを備え、前記キーボード入力装置は、平板型のキーボード本体と、前記本体の一面に形成されたボタン入力部と、前記本体の他面に形成されたタッチ入力部とを備える。移動カートは、医療用器具やその他の電子機器を積載および移送するためのものであって、追加で別途のディスプレイ装置を含むことができる。キーボード入力装置は、別途のディスプレイ装置、ノートパンコン、測定装備、検査装備などに連結することができる。
【００１０】
移動カートにおいて、支持部は、固定した位置を保持する固定型あるいはローラなどを装着して移動することができる移動型として用いることができ、デスクもキーボード入力装置を装着する役割の他にも、多様な目的で用いることができる。
【００１１】
特に、デュアルキーボード入力装置は、一面に提供されるボタン入力部および反対面に提供されるタッチ入力部を備える。キーボード入力装置の両面にそれぞれボタン入力部とタッチ入力部が形成され、キーボード入力装置はデスクに反転可能に、すなわち表面または裏面が選択的に見えるように装着が可能である。したがって、ユーザは、タッチ入力部を介してタッチ入力が容易な入力を実行した後に、キーボード入力装置を裏返してキーボード入力が容易な入力を実行することができる。
【００１２】
基本的に、ＬＣＤタッチパネルおよび既存のキーボードボタン入力部を用いることができ、これらの間の長短所を活用してユーザの慣れや入力便宜に応じて自由に入力方式を切り替えることができる。また、１つの装置で両面に２つの入力方式を装着し、少ない空間で両モジュールを効率的に配置することができる。
【００１３】
本発明の例示的な他の実施形態によれば、キーボード入力装置は、平板型の本体と、前記本体の一面に形成されたボタン入力部と、前記本体の他面に形成されたタッチ入力部とを備える。前記キーボード入力装置は、移動カートの他にも多様な電子機器に用いることができ、前記デスクに対応が可能な装着部を用いてより広範囲に用いることができる。
【発明の効果】
【００１４】
本発明の移動カートおよびキーボード入力装置は、ＬＣＤタッチパネルのようなタッチ入力部とクワーティ（ＱＷＥＲＴＹ）キーボードのようなボタン入力部とを１つの装置に実現することができ、両入力方式の長短所をユーザに同時に提供および補完することができる。したがって、ユーザは、慣れや入力便宜に応じて便利な方式の入力部を選択することができる。
【００１５】
また、１つの装置にタッチ入力とキーボードボタン入力とを同時に兼用するようにして空間を効率的に用いることができる。従来には両入力方式を実現するために２つの別途の装置をコントローラに連結しなければならず、それぞれの装置が作業および保管に必要な空間を占めて空間活用に多くの制約を与えていた。しかしながら、本発明のキーボード入力装置は、作業および保管を同時に行うことができ、作業および保管空間の所有が少ない。
【図面の簡単な説明】
【００１６】
【図１】本発明の一実施形態に係る移動カートを説明するための斜視図である。
【図２】図１のキーボード入力装置でタッチ入力部の使用例を説明するための斜視図である。
【図３】図１のキーボード入力装置でボタン入力部の使用例を説明するための斜視図である。
【図４】図１のキーボード入力装置を説明するための分解斜視図である。
【図５】本発明の他の実施形態に係るキーボード入力装置とデスクとの連結関係を説明するための斜視図である。
【図６】本発明のさらに他の実施形態に係るキーボード入力装置とデスクとの連結関係を説明するための斜視図である。
【発明を実施するための形態】
【００１７】
以下、添付の図面を参照しながら、本発明の好ましい実施形態について説明する。本実施形態の説明において、同じ構成に対しては同じ名称および同じ符号が用いられ、これについての付加的な説明は省略する。
【００１８】
図１は、本発明の一実施形態に係る移動カートを説明するための斜視図であり、図２は、図１のキーボード入力装置でタッチ入力部の使用例を説明するための斜視図であり、図３は、図１のキーボード入力装置でボタン入力部の使用例を説明するための斜視図である。
【００１９】
図１および図２を参照すれば、本実施形態に係る移動カート１００は、支持部１１０と、支持部１１０上に提供されるデスク１２０と、デスク１２０に装着されるデュアルキーボード入力装置２００とを備える。支持部１１０の下部にはローラ１１２が装着されて移動が可能であり、デスク１２０はデュアルキーボード入力装置２００はもちろん、作業に必要な空間を提供したりその他の周辺機器を保管したりできる。
【００２０】
本実施形態に係る移動カート１００は、超音波診断機器のような医療装備に用いることができる。図に示してはいないが、移動カート１００には、超音波測定のためのプローブ（ｐｒｏｂｅ）を連結することができ、プローブを介して感知された映像をモニタなどを介して出力することができる。また、デスク１２０の周辺にホルダ１２２を提供することができ、ホルダ１２２には簡単な医療器具や薬品、アルコール綿などを保管する容器をそれぞれ挿入および装着することができる。これだけでなく、プローブを装着することもできる。
【００２１】
デュアルキーボード入力装置２００は、デスク１２０に反転可能に装着される。すなわち、デュアルキーボード入力装置２００は、裏返して装着することができるようにデスク１２０に提供される。図２に示すように、デュアルキーボード入力装置２００の一面には、液晶表示およびタッチパネル技術を含むタッチ入力部２２０が提供されるし、図３に示すように、デュアルキーボード入力装置２００の他面には、クワーティ配列のボタンを含むボタン入力部２３０が提供される。
【００２２】
デスク１２０の上部には収容部１２５が提供され、収容部１２５でデュアルキーボード入力装置２００は上下、すなわちデスク１２０の表面と垂直方向にスライド移動しながらデスク１２０に装着または分離することができる。タッチ入力部２２０を用いた後にボタン入力部２３０を用いるために、デュアルキーボード入力装置２００を上に移動させてデスク１２０からデュアルキーボード入力装置２００を分離して裏返した後、再び収容部１２５に形成されたレールに合わせてデュアルキーボード入力装置２００をデスク１２０の収容部１２５に装着することができる。
【００２３】
本実施形態において、キーボード入力装置２００は、ケーブルを介して有線で外部装置と連結することができるが、場合によってキーボード入力装置は、ワイファイ（ＷＩＦＩ）、ブルートゥース（Ｂｌｕｅｔｏｏｔｈ）などの技術を用いて外部の装置と無線で連結することもできる。また、支持部１１０またはデスク１２０がコントローラと連結することもでき、デスクにデュアルキーボード入力装置を装着する過程において、デュアルキーボード入力装置が収容部に形成された端子と電気的に連結するようにもできる。
【００２４】
図４は、図１のキーボード入力装置を説明するための分解斜視図である。
【００２５】
図４を参照すれば、デュアルキーボード入力装置２００は、平板型の本体２１０を備え、本体２１０は、上部ケース２１２および下部ケース２１４によって構成される。タッチ入力部２２０とボタン入力部２３０は、上部ケース２１２および下部ケース２１４によって一体に装着することができる。上部ケース２１２には、タッチ入力部２２０または他の機能を調節するための複数のノブ２１６を装着することができる。
【００２６】
タッチ入力部２２０は、既存の液晶ディスプレイパネルを備えることができ、液晶ディスプレイパネルの上面には、タッチ入力のためのタッチ感知層を形成することができる。タッチ入力部２２０の背面には、キーボードボタン入力部２３０を提供することができる。ボタン入力部２３０は、従来のコンピュータで用いられるクワーティ配列ボタンを備えることができるが、場合によってユーザの必要に応じて再配置したり選択されたボタンの配列を有するキーボードを用いたりできる。
【００２７】
図５は、本発明の他の実施形態に係るキーボード入力装置とデスクとの連結関係を説明するための斜視図である。
【００２８】
図５を参照すれば、デュアルキーボード入力装置２０１の本体２１０がデスク１２０の収容部１２５に回動可能に装着される。したがって、スライド移動によって装着または分離するのではなく、回動によって容易にタッチ入力部とボタン入力部とを切り替えることができる。
【００２９】
図に示してはいないが、本体２１０と収容部１２５との間にヒンジまたはピボットなどの結合装置を提供することができ、結合装置によって本体２１０をデスク１２０に固定することができる。
【００３０】
図６は、本発明のさらに他の実施形態に係るキーボード入力装置とデスクとの連結関係を説明するための斜視図である。
【００３１】
図６を参照すれば、デュアルキーボード入力装置２０２は、デスク１２０の上面に提供され、デスク１２０にはデュアルキーボード入力装置２０２の本体２１０と結合する係止部１２４が形成される。係止部１２４は、本体２１０の係止溝２１８に挿入される突起１２４ｂが形成された板バネ１２４ａを備え、弾性的に動いてキーボード入力装置２００と結合することができる。
【００３２】
デスク１２０には、ボタン入力部のボタンと所定の間隔を保持するための収容部１２６を形成することができ、収容部１２６は、上述したボタンまたはノブなどに対応する形状に形成することができる。
【００３３】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００３４】
１００：移動カート
１１０：支持部
１２０：デスク
２００：キーボード入力装置
２１０：本体
２２０：タッチ入力部
２３０：ボタン入力部
【図１】
2009259243.tif 000003
【図２】
2009259243.tif 000004
【図３】
2009259243.tif 000005
【図４】
2009259243.tif 000006
【図５】
2009259243.tif 000007
【図６】
2009259243.tif 000008